(57)【要約】【課題】巻取りロールの振動を抑制し、安定した操業を行う振動抑制巻取り装置を提供するものである。【解決手段】リールドラム５と、このリールドラム５の垂直方向に設置されるスプールロール７と、このスプールロール７に紙６を巻き付けることで形成される巻取りロール１と、前記スプールロール７の軸端に組み込まれている円形ハウジング４と、この円形ハウジング４を支持する走査テーブル３と、この走査テーブル３の移動を直線移動に限定するための走査フレーム２とを有することを特徴とする振動抑制巻取り装置。また、走査テーブル３が、走査フレーム２に沿って直線運動することを特徴とする。さらに、巻径の増加に伴って直線的に移動する巻取りロール１の移動角度が、リールドラム５の中心を基点として垂直方向を０°とした時、０°〜４５°の角度範囲にあることを特徴とする。【選択図】  図１
2004238149.tif 000002
【特許請求の範囲】
【請求項１】
リールドラム５と、このリールドラム５の垂直方向に設置されるスプールロール７と、このスプールロール７に紙６を巻き付けることで形成される巻取りロール１と、前記スプールロール７の軸端に組み込まれている円形ハウジング４と、この円形ハウジング４を支持する走査テーブル３と、この走査テーブル３の移動を直線移動に限定するための走査フレーム２とを有することを特徴とする振動抑制巻取り装置。
【請求項２】
走査テーブル３が、走査フレーム２に沿って直線運動することを特徴とする請求項１記載の振動抑制巻取り装置。
【請求項３】
巻径の増加に伴って直線的に移動する巻取りロール１の移動角度が、リールドラム５の中心を基点として垂直方向を０°とした時、０°〜４５°の角度範囲にあることを特徴とする請求項１記載の振動抑制巻取り装置。
【発明の詳細な説明】
【０００１】
【発明の属する技術分野】
本発明は、製紙工業に使用される抄紙機および塗工機の最終工程である巻取り装置に関するものであり、さらに詳しくは巻取りロールの振動を抑制し、安定した操業を行う振動抑制巻取り装置に関するものである。
【０００２】
【従来の技術】
従来の抄紙機および塗工機の最終工程である巻取り装置を図４を用いて説明する。図４は、従来による巻取り装置の一実施態様を示す斜視図である。図４において、前工程で製造された紙２４は、駆動機構を有するリールドラム２３に押し付けられている駆動機構のないスプールロール２５に巻き取られる。スプールロール２５は、ロール軸端に内部ベアリングが組み込まれている円形ハウジング２２を備えている。この円形ハウジング２２は走行レール２７上に載せられており、巻取りロール２１の巻径の増加に伴って走行レール２７上を水平方向に移動する。走行レール２７上のスプールロール２５は、両端を加圧アーム２６によりリールドラム２３に押し付けられている。加圧アーム２６によるリールドラム２３へのスプールロール２５の押し付けは、リールドラム２３の動力をスプールロール２５に伝達する目的の他に、巻取りロール２１の走行レール２７上での振動を抑制すること、巻取りロール２１の巻硬さを制御することなどがある。
【０００３】
例えば、従来より、走行レール上の過大振動、それに伴う断紙の発生を防止する目的で、巻取りロールの硬さを均一にするために、加圧アームの加圧力を制御する巻取り装置がある（例えば、特許文献１参照）。
【０００４】
また、加圧アームの先端押し付け部において、加圧コロを有するものが一般的であるが、先端押し付け部を可動部のない一体構造にしたことにより、巻取りの振動を防止する加圧アームがある（例えば、特許文献２参照）。
【０００５】
【特許文献１】
特開平０５−１８６１０５号公報
【特許文献２】
特開２０００−３２７１８３号公報
【０００６】
【発明が解決しようとする課題】
巻取りロールを振動させる要因の一つとして、スプールロールのたわみが挙げられ、スプールロールのたわみの原因としては、自重による垂直方向へのたわみ、加圧アームでの水平方向へのたわみなどがある。巻取りロールの振動は、大きくなると断紙することもあり、操業上問題であり、また、巻取りロールの振動は、巻取りの真円度を阻害し後工程での問題を誘発する。
そこで、本発明の目的は、巻取りロールの振動を抑制し、安定した操業を行う振動抑制巻取り装置を提供するものである。
【０００７】
【課題を解決するための手段】
本発明者は、上記に鑑み鋭意検討した結果、振動抑制巻取り装置を発明するに至った。
【０００８】
すなわち、本発明の振動抑制巻取り装置は、リールドラム５と、このリールドラム５の垂直方向に設置されるスプールロール７と、このスプールロール７に紙６を巻き付けることで形成される巻取りロール１と、前記スプールロール７の軸端に組み込まれている円形ハウジング４と、この円形ハウジング４を支持する走査テーブル３と、この走査テーブル３の移動を直線移動に限定するための走査フレーム２とを有することを特徴とするものである。
【０００９】
本発明において、走査テーブル３が、走査フレーム２に沿って直線運動することを特徴とする。
【００１０】
また、本発明において、巻径の増加に伴って直線的に移動する巻取りロール１の移動角度が、リールドラム５の中心を基点として垂直方向を０°とした時、０°〜４５°の角度範囲にあることを特徴とする。
【００１１】
【発明の実施の形態】
以下、図面により本発明の振動抑制巻取り装置について、詳細に説明する。
図１は、本発明による一実施態様を示す振動抑制巻取り装置の斜視図である。前工程で製造された紙６は、リールドラム５に抱かれ、自重により従動回転しているスプールロール７に巻き取られる。スプールロール７には、ロール軸端に内部ベアリングが組み込まれている円形ハウジング４を備える。円形ハウジング４は、走査テーブル３に支持され、走査フレーム２に沿って直線運動する。スプールロール７に巻き取られる紙すなわち巻取りロール１は、直径の増加に伴って、垂直方向へ移動する。このとき巻取りロール１は、自重によりロール接触面全体に圧力が分散するため、ロールの歪みを無くし、振動の少ない安定した操業を可能にする。
【００１２】
図２は、本発明による走査フレームの一実施態様を示す断面図である。図２において、走査フレーム２内部にボールねじ８を設け、そのボールねじ８の回転により走査テーブル３は上下に駆動することができる。ボールねじ８の一端には、モーター９が連結されており、モーター制御装置１０により回転を制御される。巻取りロール１とリールドラム５との間の圧力は、巻取りロール１の重量に左右されるが、駆動機能を有する走査テーブル３を制御することにより、巻取りロール１とリールドラム５間の圧力を調整し、巻取りロール１の硬さを調節することができる。モーター制御装置１０には、リールドラム５と巻取りロール１との間の圧力を制御するために、トルク制御できるものが好ましい。ここでは、走査テーブル３の駆動機構として、ボールねじ８によるものを説明したが、走査テーブル３が動力により駆動できるものであれば、ピストンシリンダーなどであっても良い。
【００１３】
図３は、本発明による振動抑制巻取り装置におけるリールドラムと巻径の増加に伴い変化する巻取りロールの移動角度の一実施態様を示す断面図である。図３において、巻径の増加に伴って直線的に移動する巻取りロール１の移動角度を、リールドラム５の中心を基点として垂直方向を０°とした時、０°〜４５°の角度範囲に傾けることができ、さらに、角度維持治具１１を設けることにより、一定の角度を維持することができる。走査テーブル３の移動角度を調整することにより、巻取りロール１の重量がリールドラム方向と、それに対して直角方向とに分けられるため、リールドラム５と巻取りロール１との間の圧力を減少させ、巻取りロール１を巻硬さを柔らかくする方向へ調整できる。
【００１４】
基本的には、巻取りロール１の重量が増加するに従い、その振動を抑制するために必要な圧力は増大するため、巻取りロール１の重量の増加に伴うリールドラム５と巻取りロール１との間の圧力の増加は都合が良い。しかし、最も巻取りロール１の重量がリールドラム５と巻取りロール１との間の圧力に反映してしまう垂直方向では、目標の巻硬さより硬くなりすぎてしまうことがあるため、目標の巻硬さを得るには、走査テーブル３の移動角度を調整することが好ましい。巻硬さを硬くしい場合には、垂直方向寄りに調整し、また柔らかくしたい場合には、その逆に調整する。
【００１５】
【発明の効果】
上記のとおり、本発明の振動抑制巻取り装置は、スプールロール７に巻き取られた紙、すなわち巻取りロール１をリールドラム５の垂直方向に位置させることにより、巻取りロール１の自重による垂直方向への歪みと、巻取りロール１をリールドラム５に押し付ける加圧アーム２６による水平方向への歪みをなくし、振動の少なくして安定した操業を行うことができる。
【００１６】
また、走査テーブル３に駆動機構を設け、制御することで、リールドラム５と巻取りロール１との間の圧力を調整し、巻硬さの調節を可能にする。
【００１７】
また、巻取りロール１の巻径の増加に伴って直線的に移動する走査テーブル３の移動角度を、巻取りロール１の巻径の増加に伴って直線的に移動する巻取りロール１の移動角度が、リールドラム５の中心を基点として垂直方向を０°とした時、０°〜４５°の範囲で傾けることにより、巻取りロール１の重量がリールドラム方向と、それに対して直角方向とに分けられるため、リールドラム５と巻取りロール１との間の圧力を減少させ、巻取りロール１を巻硬さを柔らかくする方向へ調節できる。
【図面の簡単な説明】
【図１】本発明による一実施態様を示す振動抑制巻取り装置の斜視図である。
【図２】本発明による走査フレームの一実施態様を示す断面図である。
【図３】本発明による振動抑制巻取り装置におけるリールドラムと巻径の増加に伴い変化する巻取りロールの移動角度の一実施態様を示す断面図である。
【図４】従来による巻取り装置の一実施態様を示す斜視図である。
【符号の説明】
１、２１  巻取りロール
２  走査フレーム
３  走査テーブル
４、２２  円形ハウジング
５、２３  リールドラム
６、２４  紙
７、２５  スプールロール
８  ボールねじ
９  モーター
１０  モーター制御装置
１１  角度維持治具
２６  加圧アーム
２７  走行レール
【図１】
2004238149.tif 000003
【図２】
2004238149.tif 000004
【図３】
2004238149.tif 000005
【図４】
2004238149.tif 000006